【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
二酸化珪素を主成分とするガラス質の骨材（２）と、
上記骨材同士を連結し、塩化ナトリウムを含有する無機バインダ（３）とからなる、鋳造用中子（１）。
【請求項２】
上記無機バインダの含有量が上記骨材１００質量部に対して１〜１０質量部である、請求項１に記載の鋳造用中子。
【請求項３】
上記無機バインダがさらに塩化カリウムを含有する、請求項１または２に記載の鋳造用中子。
【請求項４】
上記無機バインダが上記塩化ナトリウム１００質量部に対して上記塩化カリウムを３〜１５質量部含有する、請求項３に記載の鋳造用中子。
【請求項５】
上記無機バインダが部分的に焼結した、請求項１〜４のいずれか１項に記載の鋳造用中子。
【請求項６】
上記骨材がガラス繊維からなる、請求項１〜５のいずれか１項に記載の鋳造用中子。
【請求項７】
上記骨材が球状のガラス粒子からなる、請求項１〜５のいずれか１項に記載の鋳造用中子。
【請求項８】
上記骨材がガラス繊維と球状のガラス粒子とからなる、請求項１〜５のいずれか１項に記載の鋳造用中子。
【請求項９】
上記鋳造用中子は、表面に、融点８００℃未満の金属との接触面を有する、請求項１〜８のいずれか１項に記載の鋳造用中子。
【請求項１０】
上記金属がアルミニウム、アルミニウム合金、亜鉛、亜鉛合金、マグネシウム、またはマグネシウム合金である、請求項９に記載の鋳造用中子。
【請求項１１】
請求項１〜１０のいずれか１項に記載の鋳造用中子より構成される中子本体部（１０）と、パイプ（４）とを有しており、
上記パイプは、上記中子本体部（１０）に挿入された埋設部（４１）と、上記中子本体部から露出した把持部（４２）とを備えている、パイプ付きの鋳造用中子。
【請求項１２】
上記中子本体部は、中子根本部（１１）と、上記中子根本部の先端部に設けられており、上記中子根本部よりも径の大きな中子拡径部（１２）とを有しており、
上記パイプの埋設部は、上記中子拡径部に沿う分岐部（４１２）を備えている、請求項１１に記載のパイプ付きの鋳造用中子。
【請求項１３】
極性溶媒（５）と、二酸化珪素を主成分とするガラス質の骨材（２）と、塩化ナトリウムを含有する無機バインダ（３）とからなる混練物（６）を準備し、
上記混練物を成形型内に流し込み、
上記成形型内で上記混練物を乾燥させて成型する、鋳造用中子の製造方法。
【請求項１４】
上記無機バインダがさらに塩化カリウムを含有する、請求項１３に記載の鋳造用中子の製造方法。
【請求項１５】
上記混練物の成型において、上記混練物を乾燥させるとともに、上記無機バインダを部分的に焼結させる、請求項１３又は１４に記載の鋳造用中子の製造方法。
【手続補正２】
【補正対象書類名】明細書
【補正対象項目名】０００８
【補正方法】変更
【補正の内容】
【０００８】
本発明の一態様は、二酸化珪素を主成分とするガラス質の骨材（２）と、
上記骨材同士を連結し、塩化ナトリウムを含有する無機バインダ（３）とからなる、鋳造用中子（１）にある。
【手続補正３】
【補正対象書類名】明細書
【補正対象項目名】０００９
【補正方法】変更
【補正の内容】
【０００９】
本発明の他の態様は、極性溶媒（５）と、二酸化珪素を主成分とするガラス質の骨材（２）と、塩化ナトリウムを含有する無機バインダ（３）とからなる混練物（６）を準備し、
上記混練物を成形型内に流し込み、
上記成形型内で上記混練物を乾燥させて成型する、鋳造用中子の製造方法にある。
【手続補正４】
【補正対象書類名】明細書
【補正対象項目名】００１５
【補正方法】変更
【補正の内容】
【００１５】
（実施形態１）
実施形態１の鋳造用中子およびその製造方法について、図１、図２を用いて説明する。図１に例示されるように、本実施形態の鋳造用中子１は、骨材２と、無機バインダ３とからなる。以下、詳説する。
【手続補正５】
【補正対象書類名】明細書
【補正対象項目名】００２５
【補正方法】変更
【補正の内容】
【００２５】
鋳造用中子１は、以下のように製造することができる。具体的には、図２に示されるように、極性溶媒５と、二酸化珪素を主成分とするガラス質の骨材２と、塩化ナトリウムを含有する無機バインダ３とからなる混練物６を準備し、混練物６を成形型内に流し込み、成形型内で混練物６を少なくとも乾燥させて成型する。これにより鋳造用中子１を製造することができる。
【手続補正６】
【補正対象書類名】明細書
【補正対象項目名】００３９
【補正方法】変更
【補正の内容】
【００３９】
（実施形態４）
実施形態４のパイプ付きの鋳造用中子について、図４を用いて説明する。図４に例示されるように、本実施形態のパイプ付きの鋳造用中子１は、実施形態１の鋳造用中子１より構成される中子本体部１０と、パイプ４とを有している。
【手続補正７】
【補正対象書類名】明細書
【補正対象項目名】００４１
【補正方法】変更
【補正の内容】
【００４１】
この構成によれば、鋳造後の中子崩壊時に、パイプ４の把持部４２側の端部から水等の極性溶媒５をパイプ４内に供給すると、パイプ４内を通って極性溶媒５が中子本体部１０の内部へ供給される。そのため、中子外側からだけでなく、中子内側からも極性溶媒５による崩壊を促すことが可能となる。それ故、より一層崩壊が容易なパイプ付きの鋳造用中子１が得られる。また、この構成によれば、中子本体部１０より外部に露出した把持部４２を把持し、パイプ付きの鋳造用中子１を鋳造金型へセットすることが可能となる。そのため、自動化などへの対応性に優れたパイプ付きの鋳造用中子１が得られる。
【手続補正８】
【補正対象書類名】明細書
【補正対象項目名】００４３
【補正方法】変更
【補正の内容】
【００４３】
パイプ４は、例えば、ステンレス、銅、銅合金、アルミニウム、アルミニウム合金などの金属（合金含む）等により構成することができる。なお、パイプ４は、表面に凹凸加工や親水性の表面処理などが施されていてもよい。この構成によれば、パイプ付きの鋳造用中子１における中子本体部１０とパイプ４との密着性を向上させることが可能となる。
【手続補正９】
【補正対象書類名】明細書
【補正対象項目名】００４６
【補正方法】変更
【補正の内容】
【００４６】
（実施形態５）
実施形態５のパイプ付きの鋳造用中子について、図５および図６を用いて説明する。図５および図６に例示されるように、本実施形態のパイプ付きの鋳造用中子１は、中子本体部１０が、中子根本部１１と、中子根本部１１の先端部に設けられており、中子根本部１１よりも径の大きな中子拡径部１２とを有している。また、パイプ４の埋設部４１は、中子拡径部１２に沿う分岐部４１２を備えている。本実施形態では、分岐部４１２は、具体的には、埋設部４１の先端部に設けられている。分岐部４１２は、中子拡径部１２の拡径方向に沿って二又状に分岐されている。なお、図５において、符号９は、上型９１と下型９２とを備える金型である。また、符号ＰＬは、金型分割面である。符号９３０は、溶融金属である。また、図６において、符号９３は、製品となる鋳造物である。
【手続補正１０】
【補正対象書類名】明細書
【補正対象項目名】００４７
【補正方法】変更
【補正の内容】
【００４７】
この構成によれば、図６の矢印Ｙに示されるように、パイプ４の本体内、パイプ４の分岐部４１２を通って、拡径部１２に、水等の極性溶媒５を速やかに供給することができる。そのため、この構成によれば、パイプ付きの鋳造用中子１が拡径部１２を有する場合でも、鋳造後に中子を崩壊させやすく、かつ、鋳造物９３を速やかに冷却するのに有利である。また、この構成によれば、鋳造物９３を、金型では成形できないアンダーカット形状にすることも可能となる。
【手続補正１１】
【補正対象書類名】明細書
【補正対象項目名】００４８
【補正方法】変更
【補正の内容】
【００４８】
パイプ付きの鋳造用中子１は、図５に示されるように、以下の関係を満たしているとよい。
中子拡径部１２の径Ｃ＞中子根本部１１の径Ｂ＞パイプ４の分岐部４１２の径Ａ
この構成によれば、上記効果に加え、中子崩壊後にパイプ４を鋳造物９３から容易に取り出しやすいパイプ付きの鋳造用中子１が得られる。
【手続補正１２】
【補正対象書類名】明細書
【補正対象項目名】００７０
【補正方法】変更
【補正の内容】
【００７０】
本発明は、上記各実施形態、各実験例に限定されるものではなく、その要旨を逸脱しない範囲において種々の変更が可能である。また、各実施形態、各実験例に示される各構成は、それぞれ任意に組み合わせることができる。例えば、実施形態１〜５において、骨材２は、ガラス繊維と球状のガラス粒子との両方を含んでいてもよい。また、実施形態３〜５において、無機バインダ３はさらに塩化カリウムを含有していてもよい。また、実施形態２、３の鋳造用中子１と、実施形態４、５で説明したパイプ４とを有するパイプ付きの鋳造用中子としてもよい。また、実施形態２、３において、骨材は、プラズマ処理やカップリング処理等による表面処理が施されていてもよい。また、実施形態１〜５において、骨材として上記表面処理が施された人工砂等を用いることもできる。